(57)【要約】【課題】単純な構成とすることができ、小型化が可能であり、かつ操作を容易とすることが可能なプルタブ操作補助具を提供する。【解決手段】プルタブ２４を引き起こす操作を補助するプルタブ操作補助具１０であって、前記プルタブ２４に形成された挿通孔２５に挿通可能であるとともに、挿通孔２５に挿通された状態で前記プルタブ２４の前記挿通孔２５の両側に係合可能に構成された挿通係合部１２を備える。【選択図】図１
2011063278.tif 000002
【特許請求の範囲】
【請求項１】
プルタブを引き起こす操作を補助するプルタブ操作補助具であって、
前記プルタブに形成された挿通孔に挿通可能であるとともに、前記挿通孔に挿通された状態で前記プルタブの前記挿通孔の挿通方向両側に係合可能に構成された挿通係合部を備えたことを特徴とする、プルタブ操作補助具。
【請求項２】
長手方向一端側に配される前記挿通係合部と、長手方向他端側に配されて操作者が把持するつまみ部とが連続して一体に設けられたことを特徴とする請求項１記載のプルタブ操作補助具。
【請求項３】
前記挿通係合部は、前記プルタブの前記挿通孔の幅よりも狭い幅寸法を有し、その先端側が前記プルタブの自由端側から前記プルタブの裏側に挿入され、前記挿通孔を通って表側に乗り上げるように前記挿通孔に挿通可能であり、挿通状態において前記プルタブの前記挿通孔の挿通方向基端側の部材の裏側と挿通方向先端側の部材の表側に係合するように、曲成された曲部を有することを特徴とする請求項１または２に記載のプルタブ操作補助具。
【請求項４】
前記つまみ部に、ストラップ取付部が設けられたことを特徴とする請求項３記載のプルタブ操作補助具。
【発明の詳細な説明】
【技術分野】
【０００１】
本発明はプルタブ操作補助具に関し、プルトップ方式の缶を開ける際等に用いられるものに関する。
【背景技術】
【０００２】
飲料や食物などを封入した缶において、上蓋の一部に切込部を形成し、この切込部に連結してプルタブを設け、このプルタブを外側に起立させることにより切込部を上蓋から切り離して内部へ押し込み開口させるプルトップ方式が用いられている（例えば、特許文献１参照）。
【０００３】
このようなプルトップ方式の缶を開ける際には、一般的に、操作者の爪をプルタブと上蓋の上面との間に挿入してプルタブに引っ掛けた状態で引き起こしている。このとき、プルタブの先端を所定の力で引き上げるため、爪に負荷がかかり、爪が損傷する原因となる。また、爪が短い場合には操作が困難となる。
【０００４】
このような事情に鑑みて、開缶操作を補助するためのプルタブ操作補助具が提供されている（例えば、特許文献１参照）。このプルタブ操作補助具は、一端に当接部、中央に鉤型部、他端に摘み部、を備えており、操作者が摘み部を把持し、当接部でプルタブの基端を押さえ、かつ、鉤型部をプルタブ先端に引っ掛けた状態で、摘み部を上方に持ち上げることにより、プルタブを上に引き上げる操作を補助している。
【先行技術文献】
【特許文献】
【０００５】
【特許文献１】特開２０００−１０９１８６号公報
【発明の概要】
【発明が解決しようとする課題】
【０００６】
しかしながら、上記の技術では、支点、力点、作用点の間の距離を大きくとって上方からプルタブを引っ掛けるため、大型で、複雑な構造となるという問題がある。また各箇所の位置合わせや作業工程も複雑となる。
【０００７】
そこで、本発明は、単純な構成とすることができ、小型化が可能であり、かつ操作を容易とすることが可能なプルタブ操作補助具を提供することを目的とする。
【課題を解決するための手段】
【０００８】
本発明の一形態に係るプルタブ操作補助具は、プルタブを引き起こす操作を補助するプルタブ操作補助具であって、前記プルタブに形成された前記挿通孔に挿通可能であるとともに、前記挿通孔に挿通された状態で前記プルタブの前記挿通孔の挿通方向両側に係合可能に構成された挿通係合部を備えたことを特徴とする。
【０００９】
本発明の他の一形態に係るプルタブ操作補助具は、長手方向一端側に配される前記挿通係合部と、長手方向他端側に配されて操作者が把持するつまみ部とが連続して一体に設けられたことを特徴とする。
【００１０】
本発明の他の一形態に係るプルタブ操作補助具は、前記挿通係合部は、前記プルタブの挿通孔の幅よりも狭い幅寸法を有し、その先端側が前記プルタブの自由端側から前記プルタブの裏側に挿入され、前記挿通孔を通って表側に乗り上げるように前記挿通孔に挿通可能であり、挿通状態において前記プルタブの前記挿通孔の挿通方向基端側の部材の裏側と挿通方向先端側の部材の表側に係合するように、曲成された曲部を有することを特徴とする。
【００１１】
本発明の他の一形態に係るプルタブ操作補助具は、前記つまみ部に、ストラップ取付部が設けられたことを特徴とする。
【発明の効果】
【００１２】
本発明によれば、単純な構成とすることができ、小型化が可能であり、かつ操作を容易とすることが可能である。
【図面の簡単な説明】
【００１３】
【図１】本発明の第１実施形態に係るプルタブ操作補助具の構成を示す斜視図。
【図２】同実施形態に係るプルタブ操作補助具の構成を示す平面図。
【図３】同実施形態に係るプルタブ操作補助具の構成を示す側面図。
【図４】同実施形態に係るプルタブ操作補助具を用いた開缶動作の説明図。
【発明を実施するための形態】
【００１４】
以下、本発明の一実施形態にかかるプルタブ操作補助具の構成について、図１乃至図３を参照して説明する。図１は、プルタブ操作補助具の構成を示す斜視図であり、図２は同平面図、図３は同側面図である。図中矢印Ｘ，Ｙ，Ｚはそれぞれ互いに直交する３方向を示す。また、各図において説明のため、適宜構成を拡大、縮小または省略して示している。
【００１５】
開缶操作の対象となるプルトップ缶２０は、内部に液体等を封入する円筒状の収容部２１と、収容部２１の上面を塞ぐ蓋部２２と、蓋部２２の一部に形成され開口を形成する切込片２３と、切込片２３に取り付けられたプルタブ２４と、を有して構成されている。
【００１６】
プルタブ２４は、切込片２３の上に支持部２８、２９を介して重ねて取り付けられるとともに曲げ変形可能な取付片２４ａと、切込片２３上に配され開操作の際に切込片２３を下方に押圧する押圧部２４ｂと、支持部２８から離間した自由端において幅方向に延びる第１フレーム２４ｃと、第１フレーム２４ｃと支点２８との間において幅方向に延びる第２フレーム２４ｄと、第１フレーム２４ｃ及び第２フレーム２４ｄの幅方向両端部と押圧部２４ｂとを連結する２本の連結フレーム２４ｅ，２４ｅと、を一体に備え、フレーム２４ｃ〜２４ｅによって囲まれる領域に開口となる挿通孔２５を形成している。
【００１７】
第１フレーム２４ｃ及び第２フレーム２４ｄはそれぞれ図中Ｘ方向に沿う幅方向に平行に延びている。第１フレーム２４ｃ、第２フレーム２４ｄ、支持部２８、押圧部２４ｂの順で、Ｙ方向に沿う長さ方向において互いに離間して並列している。Ｙ方向一方の第１フレーム２４ｃ側が自由端となっている。
【００１８】
開缶操作の対象となるプルトップ缶２０は、例えば、プルタブ２４の長さ寸法Ｙ１＝約２５ｍｍ、プルタブ２４の幅寸法Ｘ１＝約１６ｍｍ、挿通孔２５の幅寸法Ｘ２＝約１２ｍｍ、第２フレーム２４ｄから自由端である第１フレーム２４ｃまでの長さ寸法Ｙ２＝約１０ｍｍに寸法設定されている。
【００１９】
プルタブ操作補助具は、プルタブ２４缶のプルタブ２４を引き起こす操作を補助する補助具であって、例えば強化プラスチックからなる一枚の板状部材１０ａで構成され、つまみ部１１と挿通係合部１２とが一体に連続して構成されている。Ｙ軸に沿う長手方向一端側に挿通係合部１２が配され、長手方向他端側に操作者が例えば２本の指でつまんで把持するつまみ部１１が配されている。
【００２０】
プルタブ操作補助具は、平面視において、細長円形状のつまみ部１１と、つまみ部１１よりも幅の狭い細長円形状の挿通係合部１２とが、さらに幅が小さい連結部１３を介して連続している。
【００２１】
挿通係合部１２は、挿通孔２５よりも狭い幅寸法を有して形成され、プルタブ２４に形成された挿通孔２５に挿通可能になっている。
【００２２】
挿通係合部１２は曲成され、図３に示す側面視において湾曲した曲部１４と、曲部１４から先端において表側に向かって傾斜する返し部１５とを有して構成されている。
【００２３】
挿通係合部１２は、先端側がプルタブ２４の自由端側からプルタブ２４の第１フレーム２４ｃの裏側と蓋部２２の上面との間の隙間に挿入され、さらに挿通孔２５を通って表側に乗り上げることにより、挿通状態で第１フレーム２４ｃ及び第２フレーム２４ｄに係合可能に構成されている。
【００２４】
返し部１５は厚み寸法が先端に向かって低減するようにテーパ状に構成されている。このテーパ状の構成により、プルタブ２４の自由端側と蓋部との間に挿入しやすい構成になっている。例えば返し部１５の先端部１５ａの厚さ寸法Ｔ２は２ｍｍ以下が望ましい。
【００２５】
つまみ部１１は、操作者が２本の指でつまんで支持可能な所定の板状に構成され、その長手方向端部にストラップ取付孔１６（ストラップ取付部）が形成されている。このストラップ取付孔１６を介して、例えば携帯電話のストラップ３０等が取り付け可能となっている。
【００２６】
本実施形態のプルタブ操作補助具は、例えば、プルタブ操作補助具の長さ寸法Ｙ３＝４０ｍｍ、つまみ部１１の幅寸法Ｘ３＝１５ｍｍ、つまみ部１１の厚さ寸法Ｔ１＝４ｍｍ、挿通係合部１２の長さ寸法Ｙ４＝１０ｍｍ、挿通係合部１２の幅寸法Ｘ４＝０．８ｍｍ、返し部１５先端の厚さ寸法Ｔ２＝１ｍｍに寸法設定されている。
【００２７】
以下、本実施形態にかかるプルタブ操作補助具を用いた開缶動作について、図４を参照して説明する。図４はプルタブ操作補助具を用いた開缶動作を示す断面図であり、図４（ａ）は挿入動作、図４（ｂ）は挿通動作、図４（ｃ）は引き起こし動作を、それぞれ示している。
【００２８】
まず、図４（ａ）に示すように、操作者はつまみ部１１を２本の指３１でつまみ、プルタブ２４プルタブ操作補助具を保持する。この状態で、プルタブ２４の自由端側から、第１フレーム２４ｃの裏側の間隙に先端部を挿入させる（挿入動作）。
【００２９】
つぎに、図４（ｂ）に示すように、つまみ部１１を下方に移動させるようにプルタブ操作補助具を寝かせるように傾けて、先端部分を上方に向けながら、第２フレーム２４ｄに向かって移動させ、挿通孔２５に挿通する（挿通動作）。この挿通動作により、先端が第１フレーム２４ｃの裏側から挿通孔２５を縫うように通って第２フレーム２４ｄの表側に乗り上げる。
【００３０】
図４（ｂ）のように、プルタブ操作補助具が横臥した状態の側面視においては、つまみ部１１は先端側が下方に位置するように直線状に傾斜し、曲部１４が最も下方に位置し、返し部１５が曲部１４から連続して先端側が上方に向かうように傾斜している。
【００３１】
この挿通状態では、曲部１４の上面が第１フレーム２４ｃの下面に当接し、返し部１５の下面が第２フレーム２４ｄの上面に当接し、プルタブ操作補助具がプルタブ２４の挿通孔２５の両側においてフレーム２４ｃ，２４ｄに係合することにより、プルタブ２４の自由端側に、プルタブ操作補助具が連結した状態となる。
【００３２】
この状態から、図４（ｃ）に示すように、つまみ部１１を保持したまま上方へ回動移動させる（引き起こし動作）。以上により、支持部２８を中心としてプルタブ２４が回動し、起立する。同時に、曲げ変形可能に構成された取付片２４ａが屈曲し、押圧部２４ｂが切込片２３を下方に押し下げることにより、切込片２３が蓋部２２から切り離されて内部へ押し込まれ、開口する。
【００３３】
この引き起こし動作の際には、プルタブ２４の自由端にプルタブ操作補助具が連結した状態となっているため、プルタブ操作補助具がプルタブ２４の自由端側に突出した長さの分、力点と支点の長さが延長する。したがって、支持部２８近傍の支点から力点となるつまみ部１１までの距離を大きくとることができるので、引き起こすための力は少なくても容易に起立させることができる。
【００３４】
さらに、プルタブ操作補助具の係合を外し、起立したプルタブ２４の自由端側を元に戻すように横臥させることにより、開缶作業が完了する。
【００３５】
本実施形態にかかるプルタブ操作補助具によれば、プルタブ２４に形成された挿通孔２５に挿通可能であるとともに、挿通状態で挿通孔２５の両側に係合可能に構成したことにより、単純な形状で、小型化が可能であり、かつ操作も容易にすることができる。
【００３６】
すなわち、挿通孔２５及び２つのフレーム２４ｃ，２４ｄを有する一般的なプルタブ２４の構成を利用して、挿通孔２５を通してその両側に係合させるだけの簡単な構造で、容易に係合させることができる。このため、係合するための鉤部などを形成する必要がなく、一枚の板状部材で構成される単純形状とすることができる。このため設計の自由度が高く、平面視において様々な形状を適用でき、各種模様などの所望の造形とすることができる。先端を湾曲させた構成により、一連の動作で滑らかに挿入動作及び挿通動作を行うことができ、作業工程を少なくすることが可能である。
【００３７】
先端側の挿通係合部１２をプルタブ２４の自由端側に連結させて支点からの距離を延長することができるので、プルタブ操作補助具を小型にしながらも、操作に必要な力を少なくすることが出来る。例えば一般的な飲料の缶の規格に適用する場合には全長を４ｃｍ以下としても十分な効果が得られる。このため、携帯電話のストラップなどに適用でき、実用性が高い。さらに、支点などの位置合わせも不要であるため、作業を単純にすることができる。
【００３８】
なお、本発明は上記各実施形態で例示したものに限られるものではなく、各部の形状や材質などの具体的構成について適宜変更可能である。例えば、上記実施形態ではつまみ部１１や挿通係合部１２を平面視長円形板状として連結させた形状を例示したが、これに限られるものではなく、矩形、棒状、球状、多角形など、他の形状であっても本発明を適用できる。また、側面視において、つまみ部１１を一直線状として、曲部１４及び返し部１５を有して曲成した形状を例示したがこれに限られるものではなく、挿通係合が可能であればよく、他の形状も適用できる。
【００３９】
この他、本発明は、実施段階においてその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４０】
１０…操作補助具、１０ａ…板状部材、１１…つまみ部、１２…挿通係合部、
１３…連結部、１４…曲部、１５…返し部、１５ａ…先端部、
１６…ストラップ取付孔（ストラップ取付部）、２０…プルトップ缶、２１…収容部、
２２…蓋部、２３…切込片、２４…プルタブ、２４ａ…取付片、２４ｂ…押圧部、
２４ｃ…第１フレーム、２４ｄ…第２フレーム、２４ｅ．２４ｅ…連結フレーム、
２５…挿通孔、２８．２９…支持部、３０…ストラップ。
【図１】
2011063278.tif 000003
【図２】
2011063278.tif 000004
【図３】
2011063278.tif 000005
【図４】
2011063278.tif 000006